(57)【要約】  【課題】冷蔵庫本体と扉体とのシール部からの熱負荷を低減し、シール部の断熱構造性を高めることで省エネルギー効果の大きい冷蔵庫を提供する。  【解決手段】冷蔵庫本体１９と扉体２９、３０、３１、３２、３３をシールするシール部材４０、４１、４２、４３、４４を貯蔵室の前面開口部側の冷蔵庫本体１９の前端面周縁に備え、またシール部材４０、４１、４２、４３、４４が樹脂からなると共に磁性体４８、４９を備えて扉体に備えた金属部５０、５１、５３、５４と密着させることで、開口部周縁の断熱性能を向上させることができる。【選択図】図４
2005326114.tif 000002
【特許請求の範囲】
【請求項１】
貯蔵室を備えた冷蔵庫本体と、前記貯蔵室の前面開口部に備えられた開閉自在な扉体と、前記冷蔵庫本体と前記扉体をシールするシール部材を有し、前記シール部材は前記貯蔵室の前面開口部側の冷蔵庫本体前端面に配設され、樹脂からなると共に磁性体を備え、前記扉体には前記磁性体と対向する面に金属部が設けられた冷蔵庫。
【請求項２】
複数の貯蔵室と前記複数の貯蔵室を仕切る仕切体とを備えた冷蔵庫本体と、前記貯蔵室の前面開口部に備えられた開閉自在な複数の扉体と、前記冷蔵庫本体と前記扉体をシールするシール部材を有し、前記シール部材は前記貯蔵室の前面開口部側の冷蔵庫本体前端面に配設され、かつ樹脂からなると共に磁性体を備え、前記複数の扉体には前記磁性体と対向する面に金属部をそれぞれ備え、少なくとも前記仕切体に備えられた前記シール部材は複数の扉体の金属部と対向する面に前記磁性体がそれぞれ設けられた冷蔵庫。
【請求項３】
シール部材を取り付ける取り付け部を貯蔵室の開口部側の冷蔵庫本体に形成し、前記シール部材が前記取り付け部に着脱可能となるよう構成された請求項１または２に記載の冷蔵庫。
【請求項４】
シール部材に備えられた磁性体は磁石である請求項１から３のいずれか一項に記載の冷蔵庫。
【請求項５】
シール部材は磁粉を混ぜ込んだ樹脂材料で形成することでシール部材に磁性体を備えたものである請求項１から３のいずれか一項に記載の冷蔵庫。
【請求項６】
シール部材にさらにヒレ部を形成している請求項１から請求項５のいずれか一項に記載の冷蔵庫。
【請求項７】
シール部材に磁性体が構成された磁性部が庫内部品と隣接しない位置に配置されたことを特徴とする請求項５または６に記載の冷蔵庫。
【請求項８】
冷蔵庫の冷媒を可燃性自然冷媒とすることを特徴とする請求項１から請求項７のいずれか一項に記載の冷蔵庫。
【請求項９】
真空断熱材を冷蔵庫の内箱と外箱との間に配設し、硬質ウレタンフォームで一体発泡することを特徴とする請求項１から請求項８のいずれか一項に記載の冷蔵庫。
【請求項１０】
扉によって開閉される箱体の開口部前端周縁に取り付けられ、前記扉の前記箱体側周縁に設けた金属部に密着するように磁性体を設けてなる樹脂製のシール部材。
【請求項１１】
複数の扉によって開閉される箱体の複数の開口部前端周縁に取り付けられ、少なくともその一辺に前記複数の扉の隣り合う２辺に設けた金属部と密着するように磁性体をそれぞれ備えたシール部を有してなるシール部材。
【発明の詳細な説明】
【技術分野】
【０００１】
本発明は、冷蔵庫の断熱構成に関するものである。
【背景技術】
【０００２】
近年、冷蔵庫には、冷蔵庫や冷凍室など、少なくとも２つの貯蔵室を有するものが供されており、その貯蔵室間を仕切る仕切体の前面部に前面板が備えられている。従来のこの種の冷蔵庫としては、冷凍サイクルの放熱パイプの熱伝導によって前面板表面の露付きを防止したものがある（例えば、特許文献１参照）。
【０００３】
以下、図面を参照しながら上記従来の冷蔵庫を説明する。
【０００４】
図７は、従来の冷蔵庫の縦断面図である。図８は、従来の冷蔵庫の冷凍サイクル配管の透視図である。図９は、従来の冷蔵庫の仕切体の断面図である。
【０００５】
図７、図８、図９において冷蔵庫本体１は、上部仕切体２、下部仕切体３によって中央に引き出し式冷凍室４、上部に冷蔵室５、下部に引き出し式野菜室６を区画形成している。また中央仕切体７により前記冷凍室４を上下２段の引き出し式冷凍室としている。冷蔵室５底部に設けられた低温室８は、約−３℃のパーシャルフリージング温度に保たれている。
【０００６】
冷凍サイクルは、圧縮機９、サイドコンデンサ１０、フロントコンデンサ１１、キャピラリチューブ１２で構成されており、冷却器１３で冷却された冷気は送風器１４によって前記の各室に送風される。
【０００７】
次に、仕切体内部の構造について、中央仕切体７を例にとって説明する。
【０００８】
図１２において前面板１５は上下に折曲部を形成した断面がコの字型で形成されており、コの字型内部にはフロントコンデンサ１１の一部をなす放熱パイプ１６が配設されている。また前面板１５は鉄板のような熱伝導性のよい材料から構成され、放熱パイプ１６と熱交換するように接触して配設されている。また、仕切体７の内部空間に挿入された発泡スチロール、軟質フォームなどの断熱材１６ａを備えている。シール部１７は、ドア側に取り付け部１８で取り付けられていると共に、着磁性を有するマグネットを有しており、着磁可能な材料からなる前面板１５と係合することで冷凍室４、冷蔵室５、野菜室６等の貯蔵室内の冷気と外気とを遮断している。
【０００９】
上記構成において以下その動作について説明する。
【００１０】
圧縮機９で圧縮された冷媒はサイドコンデンサ１０を経てフロントコンデンサ１１へと入りキャピラリチューブ１２で減圧され冷却器１３で蒸発する。
【００１１】
冷却器１３で冷却された冷気は送風器１４によって冷凍室４、冷蔵室５、野菜室６へと送風され各々の室を所定の温度に冷却する。
【００１２】
ここで庫内の冷却作用により仕切体２、３、７は冷却され結露を生じやすくなるが、冷凍サイクルの運転中は４０℃前後になる放熱パイプ１６からの熱伝達によって、前面板１５の温度は４０℃弱に保たれ、前面板１５の表面の露付きを防止する。
【特許文献１】特開平７−１８０９４４号公報
【発明の開示】
【発明が解決しようとする課題】
【００１３】
しかしながら、上記従来の構成では、シール部１７は、ドア側に取り付け部１８を設けて取り付けられているため、取り付け部１８の部分が断熱材で形成されていないために取り付け部１８での断熱性能が低下する。よって、これを補い断熱性能を確保する為に、ドアの厚さをより厚くする必要があった。
【００１４】
また、ドア側にシール部１７の取り付け部１８を構成しているため、ドアの貯蔵室側の例えば食品の収納用ポケットやあるいはドアが引き出し式であればレールと係合するフレームといった様々な部品によってシール部１７を取り付け部１８に取り付ける際の作業が行いにくく、製造工程における組み立て作業性が悪かった。
【００１５】
本発明は従来の課題を解決するものであり、ドアと冷蔵庫本体のシール部の遮断性を高めることによって、シール部の断熱効果をあげ省エネルギー化を図り、またシール部の取り付け作業性を向上することを目的とする。
【課題を解決するための手段】
【００１６】
上記従来の課題を解決する為に、本発明の冷蔵庫は、貯蔵室を備えた冷蔵庫本体と、前記貯蔵室の前面開口部に備えられた開閉自在な扉体と、前記冷蔵庫本体と前記扉体をシールするシール部材を有し、前記シール部材は前記貯蔵室の前面開口部側の冷蔵庫本体に配設され、樹脂からなると共に磁性体を備え、前記扉体には前記磁性体と対向する面に金属部が設けられたものであり、シール部材を冷蔵庫本体側に取り付けることができるため、ドア部の断熱性能を向上させることができ、ドア部の複雑な取り付け構造を簡素化できることで、作業効率を向上させることができる。
【００１７】
また、本発明のシール部材は開口部を有した箱体と、前記箱体の開口部に備えられ前記箱体と係合する扉と、前記箱体と前記扉とをシールするシール部材であって、前記シール部材は前記収納室の開口部側の箱体に配設され、樹脂からなると共に磁性体を備え、前記扉には前記磁性体と対向する面に金属部が設けられることでシールを行うものであって、ドア構造を簡素化できるとともに、シール部材の取り付け作業性を向上させることができる。
【発明の効果】
【００１８】
本発明の冷蔵庫はシール部材を冷蔵庫本体側に取り付けることができるため、ドア部の断熱性能を向上させることができ、また、シール部材の取り付け作業性を向上させることができるので、冷却効率を向上させた上で、コストの安い冷蔵庫を提供することができる。
【００１９】
また、本発明のシール部材によると、シール部材の取り付け作業性を向上させることができる。
【発明を実施するための最良の形態】
【００２０】
請求項１に記載の発明は、貯蔵室を備えた冷蔵庫本体と、前記貯蔵室の前面開口部に備えられた開閉自在な扉体と、前記冷蔵庫本体と前記扉体をシールするシール部材を有し、前記シール部材は前記貯蔵室の前面開口部側の冷蔵庫本体に配設され、樹脂からなると共に磁性体を備え、前記扉体には前記磁性体と対向する面に金属部が設けられたことにより、シール部材を冷蔵庫本体側に取り付けることができるため、ドア部の断熱性能を向上させることができ、ドア部の複雑な取り付け構造を簡素化できることで、作業効率を向上させることができるので、冷却効率を向上させた上で、コストの安い冷蔵庫を提供することができる。
【００２１】
請求項２に記載の発明は、複数の貯蔵室と前記複数の貯蔵室を仕切る仕切体とを備えた冷蔵庫本体と、前記貯蔵室の前面開口部に備えられた開閉自在な複数の扉体と、前記冷蔵庫本体と前記扉体をシールするシール部材を有し、前記シール部材は前記貯蔵室の前面開口部側の冷蔵庫本体に配設され、かつ樹脂からなると共に磁性体を備え、前記複数の扉体には前記磁性体と対向する面に金属部をそれぞれ備え、少なくとも前記仕切体に備えられた前記シール部材は複数の扉体の金属部と係合することにより、シール部材を冷蔵庫本体側に取り付けることができるためドア部の断熱性能を向上させることができ、また、ドア部の複雑な取り付け構造を簡素化できることで作業効率を向上させることができ、さらに、１つのシール部材が複数の扉と係合することで、簡単な構造で１つシール部材を兼用して複数の扉をシールすることができるので、冷却効率を向上させた上で、コストの安い冷蔵庫を提供することができる。
【００２２】
請求項３に記載の発明は、シール部材を取り付ける取り付け部を貯蔵室の前面開口部側の冷蔵庫本体に形成し、前記シール部材が前記取り付け部に着脱可能となるよう構成されたもので、長期利用による消耗、あるいは汚れた場合もシール部材だけを新しいものに交換することが可能であるため冷蔵庫本体を長く利用することができるため、無駄な廃棄が必要なくなり地球環境にもよい。
【００２３】
請求項４に記載の発明は、シール部材に備えられた磁性体は磁石であるもので、汎用の安価な磁石を備えるだけで扉体とのシール性を磁力で確実に保持することができる。
【００２４】
請求項５に記載の発明は、シール部材は磁粉を混ぜ込んだ樹脂材料で形成することでシール部材に磁性体を備えたものであり、マグネットの挿入をする手間もかからず、扉体と磁力で確実にシールできる。
【００２５】
請求項６に記載の発明は、シール部材にさらにヒレ部を形成しているものであり、扉体と冷蔵庫本体の隙間をさらに確実にシールすることができるので、熱の遮断性を強化し、熱損失が小さく冷却効率の高い冷蔵庫を提供できる。
【００２６】
請求項７に記載の発明は、シール部材に構成された磁性体は、庫内部品と隣接しない位置に配置されたものであり、冷気で冷やされた庫内部品の熱影響によってシール部材周辺の温度がさがることがなく、シール部材周辺と外気温との大きな温度によって発生する結露を低減することができ、冷蔵庫の品質を向上させることができる。
【００２７】
請求項８に記載の発明は、冷蔵庫の冷媒を可燃性自然冷媒とするものであり、環境負荷の小さい冷蔵庫を提供できる。
【００２８】
請求項９に記載の発明は、真空断熱材を冷蔵庫の内箱と外箱との間に配設し、硬質ウレタンフォームで一体発泡するもので、真空断熱材は硬質ウレタンフォームの数倍の断熱性能を有するので冷蔵庫庫内への熱侵入を有効に防ぐことができ、省エネルギー効果の高い冷蔵庫を提供できる。
【００２９】
請求項１０に記載の発明は、扉によって開閉される箱体の開口部前端周縁に取り付けられ、前記扉の前記箱体側周縁に設けた金属部に密着するように磁性体を設けてなる樹脂製のシール部材であり、箱体側にシール部材を取り付けて扉の複雑な取り付け構造を簡素化し、熱リークの経路を抑えて断熱性の向上を図ることができる。
【００３０】
請求項１１に記載の発明は、複数の扉によって開閉される箱体の複数の開口部前端周縁に取り付けられ、少なくともその一辺に前記複数の扉の隣り合う２辺に設けた金属部と密着するように磁性体をそれぞれ備えたシール部を有してなるシール部材であり、箱体側にシール部材を取り付けて扉の複雑な取り付け構造を簡素化し、熱リークの経路を抑えて断熱性の向上を図ることができ、特に２つの扉の隣り合うシール面では一つのシール部材で隣り合う扉の２辺を密着でき簡素ですっきり感のある外観となり、２つのシール部材が平行して配置される場合の谷間の空気澱みも解消し結露防止上も有効である。
【００３１】
以下、本発明の実施の形態について、図面を参照しながら説明する。
【００３２】
（実施の形態１）
図１は、本発明の実施の形態１による冷蔵庫の正面図である。図２は、同実施の形態による冷蔵庫の縦断面図である。図３は、同実施の形態による冷蔵庫の冷凍サイクル配管の透視図である。図４は、同実施の形態による冷蔵庫の仕切体の断面図である。
【００３３】
図１から図４において、冷蔵庫本体１９は、上から冷蔵室２０、野菜室２１、製氷室２２、低温室２３、冷凍室２４といった貯蔵室を区画形成しており、製氷室２２と低温室２３は横に並んでいる。低温室２３は、温度コントロールができる切替室であってもかまわない。仕切体２５は冷蔵室２０と野菜室２１を上下に仕切っており、野菜室２１と製氷室２２、低温室２３を上下に仕切る仕切体２６や、製氷室２２と低温室２３を左右に仕切る仕切体２７や、製氷室２２、低温室２３と冷凍室２４を上下に仕切る仕切体２８によって貯蔵室が形成されている。
【００３４】
冷蔵庫本体には、冷蔵室２０の前面開口部にドアヒンジによって取付けた回転式の扉体２９、野菜室２１の前面開口部に取付けた引き出し式の扉３０、製氷室２２に取り付けられた引出し式の扉体３１は、低温室２３に取り付けられた扉体３２、冷凍室２６に取り付けられた引出し式の扉体３３が備えられている。
【００３５】
冷凍サイクルの冷却器３４の上方で冷凍室２４の後方に設けた強制通風用の送風機３５、野菜室２１と低温室２３の後方に設けた風路制御手段３６を備えており、内部に冷蔵室２０、野菜室２１および低温室２３への冷気供給量を調整するダンパー（図示せず）を備えている。冷却器３４で冷却された冷気は送風機３５、風路制御手段３６によって前記各室に送風される。
【００３６】
また、冷凍サイクルには圧縮機３７、サイドコンデンサ３８、キャピラリチューブ３９が備えられており、可燃性自然冷媒が封入されている。
【００３７】
なお、本実施の形態の冷蔵庫は、庫内への熱負荷侵入が抑制されているため冷蔵庫本体１９の前面開口部には発汗防止用フロントコンデンサを配設していない。
【００３８】
冷蔵庫本体１９の前面開口部に取り付けられたシール部材４０、４１、４２、４３、４４で構成された前面板は、柔軟性の高い、エラストマ等の軟質プラスチックと硬質プラスチックで一体成型されている。
【００３９】
また、冷蔵室２０と冷蔵室２１の仕切体２５の前面部は、シール部材４０とシール部材４１とを上下一体化してもかまわず、外観意匠を考慮し扉体が開放の状態では仕切部４５と一体に見えるように構成されており、仕切体２５内には硬質ウレタンフォーム４６が充填されており、この硬質ウレタンフォーム４６は図４のＡ方向に発泡充填される。
【００４０】
シール部材４０、４１の取り付け部４７は、冷蔵庫本体１９側に硬質ウレタンフォーム４６の発泡方向であるＡ方向に沿って形成されており、冷蔵庫本体１９シール部材４０で構成された前面板の空間部４０ａには磁性体４８、４９が挿入されており、上部扉の金属部５０と下部扉の金属部５１に着磁できるように配設されている。
【００４１】
扉閉時に扉体と仕切体の隙間をシールするヒレ部５２は、自由に可動できるように構成されている。
【００４２】
他の仕切体２６、２７、２８についても同様である。
【００４３】
また、冷蔵庫本体１９の前面開口部の側面、上面、下面についても同じ構成になっている。
【００４４】
以上のように構成された冷蔵庫について、以下その動作を説明する。
【００４５】
冷凍サイクルを構成する圧縮機３７、サイドコンデンサ３８、キャピラリチューブ３９、冷却器３４の運転、および送風機３５、風路制御手段３６により、冷蔵室２０、野菜室２１、製氷室２２、低温室２３および冷凍室２４は所定の温度に冷却される。ここで、本実施の形態の冷蔵庫１９は、庫内への熱負荷侵入を抑制するため冷蔵庫本体１９の前面開口部には発汗防止用フロントコンデンサを配設せず、仕切体２５の内部に硬質ウレタンフォーム４６を充填しているので、放熱パイプによる冷蔵庫庫内への熱負荷をなくし、省エネルギーを高めるとともに、庫内冷気のシール部材４０で構成した前面板への伝達を断熱性能の高い硬質ウレタンフォーム４６によって抑制することが可能となり、前面板の表面温度の低下を防ぐことができ、発汗を防止できる。
【００４６】
また、外表面から、距離が離れ表面空気温度が低い状態でシールするため、シール部表面で発汗しやすい状態になっているが、前面板全体をシール部材にすることにより、扉体と仕切部を確実にシールすることで冷気の洩れを防ぎ、発汗を防ぐことができる。
【００４７】
また、シール部材４０を仕切体４５側に取り付け部４７で取り付けるため、扉体の断熱効果が向上できるため、シール部材４０で構成された前面板表面の結露を防止することができる。
【００４８】
また、シール部材４０は取り付け部４７に取り外し可能な状態で構成されているため、必要に応じて交換が可能である。
【００４９】
また、取り付け部４７は冷蔵庫本体１９側に硬質ウレタンフォーム４６の発泡方向であるＡ方向に沿って形成されており、ウレタン発泡時に取り付け部４７の周辺へのウレタン回りが良好である為、取り付け部周辺のウレタン充填が良好となり、高い断熱効果が得られる。
【００５０】
また、シール部は軟質プラスチックと硬質プラスチックで形成されていることから、シール部材表面は柔軟性が高く、扉体のばらつきに影響されることなく接合することができ、取り付け部は硬質プラスチックで形成されていることから、仕切体４５と取り付け部４７で確実に固定でき、取り付けの際の作業性も良い。
【００５１】
また、シール部材４０で構成された前面板の裏面に形成された空間部４０ａに配設された磁石により、扉体の金属板と確実に着磁できるために、さらに遮断効果が高まる。
【００５２】
また、磁石は熱伝導性の高い金属体であるが、庫内冷気で冷やされた庫内部品と隣接することがないため、前面板の表面温度を下げることもない。
【００５３】
また、シール部に設けられたヒレ部により、扉体と仕切体の隙間部をさらに確実に遮断できるため、更にシール部材４０で構成された前面板の表面温度の低下を防止できる。
【００５４】
なお、本実施の形態では、仕切体２５において、冷蔵庫本体１９の冷蔵室２０と野菜室２１を仕切る上下で説明したが、野菜室２１と製氷室２２および低温室２３を仕切る仕切体２６、製氷室２２と低温室２３を仕切る仕切体２７、製氷室２２、低温室２３と冷凍室２４を仕切る仕切体２８に適用してもよい。
【００５５】
更に、冷蔵庫本体１９の側面、上面、下面に適用してもよい。
【００５６】
なお、本実施の形態においては冷蔵庫にシール部材４０を適用した例を挙げたが、シール部材４０は、扉によって開閉される箱体の開口部前端周縁に取り付けられ、扉の箱体側周縁に設けた金属部に密着するように磁性体を設ける構成であれば、どのような扉と箱体との組み合わせにおいても有効に断熱性の向上を図ることができる。
【００５７】
また、複数の扉によって開閉される箱体の複数の開口部前端周縁に取り付けられ、少なくともその一辺に前記複数の扉の隣り合う２辺に設けた金属部と密着するように磁性体をそれぞれ備えたシール部を設けることによって、同じく複数の開口部を備えた箱体と扉との組み合わせにおいて断熱性の向上を図ることができ、特に２つの扉の隣り合うシール面では一つのシール部材で隣り合う扉の２辺を密着でき簡素ですっきり感のある外観となり、２つのシール部材が平行して配置される場合の谷間の空気澱みも解消し結露防止上も有効なシール部材となる。
【００５８】
以下、本発明の実施の形態について、図面を参照しながら説明する。
【００５９】
（実施の形態２）
図５は、本実施の形態２による冷蔵庫の仕切体の断面図である。
【００６０】
なお、実施の形態１と同一構成については、同一符号を付して詳細な説明を省略する。
【００６１】
図５において、上部扉は金属部５３を備え、下部扉は金属部５４を備えている。
【００６２】
シール部材５５は袋状になっており、磁性部５６には磁粉を混ぜ込んである。磁性部５６は、庫内部品と隣接することはない。
【００６３】
以上のような構成において、磁粉をシール部材のプラスチックに混ぜ込むことにより、シール部表面が柔軟に扉体の鉄板部に着磁し、シール性を強化できる。
【００６４】
また、シール部材は、袋状になっていることを特徴としているので、シール部表面の可動性が柔軟になりシールの遮断効果をあげることができる。袋状の中の空気層は断熱層の役割をするため、断熱効果を強化できる。
【００６５】
また、磁粉は金属成分であるため、熱伝導性が高いが、庫内温度で冷やされた庫内部品に隣接することがないため、前面板表面温度を下げることなく、結露を防止できる。
【００６６】
また、シール部５５の表面が柔軟性に富むため、隙間部の異形にも対応でき、侵入熱量を提言することができ省エネの効果も大きい
（実施の形態３）
図６は、本実施の形態３による冷蔵庫の縦断面図である。
【００６７】
なお、実施の形態１から２との同一構成については、同一符号を付して詳細な説明を省略する。
【００６８】
図６において、真空断熱材５７は、冷蔵庫の外箱５８に貼付される。本実施の冷蔵庫は外箱５８と内箱５９とを組み合わせ、その間に硬質ウレタンフォーム４６を発泡充填させ断熱性能に優れる筐体を形成している。なお本実施例では、冷蔵室２０の回転式扉２９と野菜室２１の引き出し式扉３０、製氷室２２の引き出し式扉３１、低温室２３の引き出し式扉３２、冷凍室２４の引き出し式扉３３にも真空断熱材５７を配設させているので、より断熱性能が高くなっている。
【００６９】
また本実施の冷蔵庫において冷却器３４や圧縮機３７等で形成される冷凍サイクル中を流れる冷媒は可燃性自然冷媒のイソブタンを用いている。
【００７０】
以上の構成において、本実施の冷蔵庫の冷媒は可燃性自然冷媒を使用しているが、上記構成によりシール部分でのシール性が向上するために発汗すなわち結露が生じにくい為に冷蔵庫はフロントコンデンサを配設しなくても良いので、システムボリュームが小さくなり冷媒量を削減されており、冷媒漏洩時における安全性が高い。さらに地球温暖化に対する影響が小さい自然冷媒を使用することは、地球環境にも配慮することにもなる。
【００７１】
また、一般的に真空断熱材５７を配設した冷蔵庫は、硬質ウレタンフォームの数倍の断熱性能を有するので、冷蔵庫庫内への熱侵入を有効に防ぐことができ、冷凍負荷が低減できるので運転率が低くなり、冷蔵庫の冷却効率が高くなる。一方で、発汗防止に対しては運転率が低いとフロントコンデンサのパイプの温度が上がりにくく、発汗が増える傾向にあるが、本実施の形態における冷蔵庫は、フロントコンデンサを配設しないので真空断熱材の高断熱性能により冷蔵庫の運転率が低下しても、発汗減少による冷蔵庫の品質低下が問題となることはない。
【００７２】
よって、真空断熱材の高断熱性能による冷蔵庫の冷却効率向上を行った上で発汗作用による品質劣化のない省エネルギー効果が高く、かつ高品質の冷蔵庫を提供することができる。
【００７３】
なお、本実施の形態では、冷蔵庫の冷凍サイクルを流れる冷媒は可燃性自然冷媒であるイソブタンとしたが、ＨＦＣ１３４ａ等のフロン冷媒であっても構わない。
【産業上の利用可能性】
【００７４】
以上のように、本発明のシール部材を用いた冷蔵庫は断熱効率を向上させた上で、コストの安い冷蔵庫を提供することができるので、あらゆる冷蔵機器や保温機器に適用することができる。
【００７５】
また、本発明にかかるシール部材はシール部材の取り付け作業性を向上させることができることができるので、箱体と扉を有するあらゆる製品のシール構造部に適用することができる。
【図面の簡単な説明】
【００７６】
【図１】本発明による冷蔵庫の実施の形態１の正面図
【図２】同実施の形態の冷蔵庫の縦断面図
【図３】同実施の形態の冷蔵庫の冷凍サイクル配管の透視図
【図４】同実施の形態の冷蔵庫の仕切体の断面図
【図５】本発明による冷蔵庫の実施の形態２の仕切体の断面図
【図６】本発明による冷蔵庫の実施の形態３の冷蔵庫の縦断面図
【図７】従来の冷蔵庫の縦断面図
【図８】従来の冷蔵庫の冷凍サイクル配管の透視図
【図９】従来の冷蔵庫の仕切体の断面図
【符号の説明】
【００７７】
１９  冷蔵庫本体
２０、２１、２２、２３、２４  貯蔵室
２９、３０、３１、３２、３３  扉体
４０、４１、４２、４３、４４、５５  シール部材
４５  仕切体
４６  硬質ウレタンフォーム
４７  取り付け部
４８、４９  磁性体
５０、５１、５３、５４  金属部
５２  ヒレ部
５６  磁性部
５７  真空断熱材
【図１】
2005326114.tif 000003
【図２】
2005326114.tif 000004
【図３】
2005326114.tif 000005
【図４】
2005326114.tif 000006
【図５】
2005326114.tif 000007
【図６】
2005326114.tif 000008
【図７】
2005326114.tif 000009
【図８】
2005326114.tif 000010
【図９】
2005326114.tif 000011